(57)【要約】  本発明は、ガラス化可能な材料を溶融するための設備２０のためのバーナーに関し、該バーナーは、燃焼ガス分配ネットワーク３及び少なくとも１つのインジェクタ４を含むインジェクタブロック２と、該インジェクタブロック２と重なっており、該インジェクタ４と流体連通している少なくとも１つの注入孔６を含む、ガラス接触状態及び／又は火炎接触状態のプレート５とを含み、該バーナー１は、該プレート５がインジェクタブロック２に取外し可能に取り付けられていることを特徴とする。
2021504274.tif 000002
【特許請求の範囲】
【請求項１】
ガラス化可能な材料を溶融するための設備（２０）のためのバーナー（１）であって、  燃焼ガス分配ネットワーク（３）及び少なくとも１つのインジェクタ（４）を含むインジェクタブロック（２）と、
前記インジェクタブロック（２）と少なくとも部分的に重なっており、かつ前記インジェクタ（４）と流体連通している少なくとも１つの注入孔（６）を含む、ガラス接触状態及び／又は火炎接触状態のプレート（５）と
を含み、
前記バーナー（１）は、前記プレート（５）が前記インジェクタブロック（２）に取外し可能に取り付けられていることを特徴とする、
バーナー（１）。
【請求項２】
前記インジェクタブロック（２）と前記プレート（５）とが異なる材料で構成されていることを特徴とする、請求項１に記載のバーナー（１）。
【請求項３】
液中タイプであることを特徴とする、請求項１又は２に記載のバーナー（１）。
【請求項４】
前記少なくとも１つのインジェクタ（４）が、前記注入孔（６）内に少なくとも部分的に延在していることを特徴とする、請求項１〜３のいずれか一項に記載のバーナー（１）。
【請求項５】
前記プレート（５）が、
犠牲ねじ−ボルトアセンブリ、及び／又は
ねじ−タップアセンブリ、及び／又は
リベット、及び／又は
ピン
によってインジェクタブロック（２）に取り付けられていることを特徴とする、請求項１〜４のいずれか一項に記載のバーナー（１）。
【請求項６】
前記プレート（５）が、前記インジェクタ（４）の周囲を画定している少なくとも１つの平面シート（７）を含むことを特徴とする、請求項１〜５のいずれか一項に記載のバーナー（１）。
【請求項７】
前記少なくとも１つのインジェクタ（４）が、前記シート（７）の上方に突出部を形成していることを特徴とする、請求項６に記載のバーナー（１）。
【請求項８】
前記プレート（５）が、前記シート（７）から上昇している中実の周辺側部（８）を含むことを特徴とする、請求項６又は７に記載のバーナー（１）。
【請求項９】
前記周辺側部（８）が、前記インジェクタブロックの上面に取外し可能に取り付けられていること、及び前記シート（７）が、前記周辺側部（８）と前記インジェクタブロック（２）の上面との間に取り付けられていることを特徴とする、請求項８に記載のバーナー（１）。
【請求項１０】
前記プレート（５）、及び優先的には前記シート（７）が、その上面から突出している歯を含むことを特徴とする、請求項１〜９のいずれか一項に記載のバーナー（１）。
【請求項１１】
前記インジェクタブロック（２）と前記プレート（５）との間の界面に熱ペースト層を含むことを特徴とする、請求項１〜１０のいずれか一項に記載のバーナー（１）。
【請求項１２】
前記インジェクタのそれぞれが、噴出孔（１１）、燃料の供給管（１２）、及び酸化剤の供給管（１３）を有する、シリンダ形状の混合チャンバ（１０）を含み、前記燃料の供給管（１２）及び前記酸化剤の供給管（１３）が、前記シリンダのケーシングに対して接線方向に前記燃料及び前記酸化剤を流動させる方向で、前記シリンダのケーシングにおいて前記混合チャンバへと開口していることを特徴とする、請求項１〜１１のいずれか一項に記載のバーナー（１）。
【請求項１３】
前記インジェクタブロックが冷却システムを含み、優先的にはバーナー内部で冷却流体を循環させるのに適したパイプのネットワークを含む冷却システムを含むことを特徴とする、請求項１〜１２のいずれか一項に記載のバーナー（１）。
【請求項１４】
請求項１〜１３のいずれか一項に記載のバーナー（１）の組立／分解方法。
【請求項１５】
ガラス化可能な材料の組成物を溶融するための設備（２０）であって、請求項１〜１３のいずれか一項に記載の少なくとも１つのバーナー（１）、優先的には液中タイプのバーナー（１）を備える少なくとも１つの溶融チャンバ（２１）を含むことを特徴とする、設備。
【請求項１６】
ガラス化可能な材料の組成物を溶融するための、請求項１５に記載の設備（２０）の使用。
【発明の詳細な説明】
【技術分野】
【０００１】
本発明は、ガラス炉用バーナー、このようなバーナーを組み込んだ設備、及びガラス化可能な材料の組成物を溶融するためのこのような設備の使用に関する。より詳細には、本発明は、フロート設備又はローリング設備等の板ガラスを形成するための設備に関し、更に詳細には、バイアルタイプのボトルの中空ガラスを形成するための設備に関し、更に詳細には断熱又は遮音ミネラルウールタイプのガラス繊維又はいわゆる強化織物ガラス糸を形成するための設備に関する。
【背景技術】
【０００２】
ガラス化可能な材料は、一般に酸化物タイプであり、一般に少なくとも３０質量％のシリカを含み、例えばガラス、又はアルカリケイ酸塩及び／若しくはアルカリ土類ケイ酸塩のようなケイ酸塩である。ガラスは特に、ソーダ石灰ガラスであってもよく、当業者によってしばしば「黒色ガラス」と呼ばれる岩石からのものであってもよい。したがって、「ガラス化可能な材料」及び「原材料」という用語の目的は、シリカ砂、岩石、高炉スラグ等のガラス質（又はセラミック若しくはガラスセラミック）マトリックスを得るために必要な材料のみならず、すべての添加剤（精製添加剤）、分解廃棄物（鉱物繊維を含む）、すべての可能な液体又は固体燃料（任意に複合プラスチック、有機物質、石炭）、及び任意のタイプのカレットを包含することである。本明細書において、「液体ガラス」及び「ガラス浴」という表現は、これらのガラス化可能な材料を溶融した結果物を指す。
【０００３】
ガラス化可能な材料を液化するために、最も簡単な解決策は、冷たい空気が供給されるバーナーを使用することである。しかしながら、最大溶融速度及び熱効率の点で炉の性能を高めるためには、可能な限り高い火炎温度を有することが望ましい。これを達成するために最も使用される２つの技術は、炉から出るヒュームに含まれる顕熱を使用することによる燃焼空気の予熱、耐火物材料再生器、若しくは空気／ヒューム金属交換器（ガラス産業ではレキュペレーターと呼ばれる）を介すること、又は酸素及び／若しくは過酸素化空気を酸化剤として使用することのいずれかで構成される。本発明は、これらのバーナーの全て、特に酸素を使用するバーナーを包含している。これらのバーナーは、そのより高い運転温度のために増大した腐食にさらされ、ヒューム中における高濃度でのソーダの存在下にさらされる。
【０００４】
公知の方法では、バーナーを溶融ガラスの表面の上方、例えば壁面、切妻又は屋根に配置することができ、又は液体ガラス高さよりも下方、例えば炉底に配置することができる。この場合、これらは「液中バーナー」と呼ばれる。バーナーは、線状又はリング状に配置された１つ又は複数のインジェクタを含むことができる。
【０００５】
バーナーは従来、上部でインジェクタに接続されている燃焼ガス分配ネットワークを下部に含む。
【０００６】
本明細書では、本発明を記述するために任意に選択した基準座標系は、上部においては炉の内部があり、下部においては炉の外部がある。「燃焼ガス」という表現は、少なくとも１種の化石燃料、例えば天然ガスと、少なくとも１種の酸化剤、例えば空気及び／又は酸素との混合物を指す。
【０００７】
国際公開第２０１６／１２０３４６号パンフレットを含む従来技術からの文献は、ガラス溶融チャンバ内に延在するために、バーナーの表面から突出しているインジェクタを有するバーナーを記載している。この場合、インジェクタは、「ガラス接触状態及び／又は火炎接触状態」にあり、これは、液面上バーナーの場合には限定された方法で、又は液中バーナーの場合には連続的に、液化気体及び／又はバーナーの火炎と接触させられることを意味している。火炎が液体ガラスによって押し戻されるとき、及び／又は噴射圧力が変化する間に、インジェクタが火炎に暴露されることは特に重要である。これに関連して、インジェクタは、液体ガラスによる腐食、及び燃焼から生じる火炎及び／又はヒュームによる酸化にさらされる。その結果、このようなインジェクタは、寿命が不十分であり、高いメンテナンスコストを伴う。
【０００８】
これらの欠点を少なくとも部分的に改善するために、欧州特許出願公開第２８１２６３２号明細書に記載されているようないくつかの単一部品のバーナーは、上部に、ガラス接触及び／又は火炎接触状態のプレートを含み、このプレートは少なくとも一時的に、インジェクタに重なっており、上記の浸食及び／又は酸化現象からこれを保護する。
【発明の概要】
【発明が解決しようとする課題】
【０００９】
しかしながら、このような単一部品のバーナーは機械加工が複雑であり、相当量のメンテナンス時間及びコストを必要とするという欠点がある。実際には、バーナーが故障していると特定されると、その交換には炉の完全な停止が必要となる。この作業は、操作者にとって危険がないわけではなく、溶融設備の生産性にかなりの影響を及ぼす。実際、バーナーは、一旦炉から取り出されると、その全体が交換される。これは、バーナーの単価及びその製造に必要な時間を考えると、特に溶融設備の大規模使用のために、メンテナンスの点で法外な欠点を構成する。
【００１０】
したがって、延びた寿命を少なくともその一部が有し、メンテナンスがより容易なバーナーを、より迅速かつより安価に提供する必要がある。
【課題を解決するための手段】
【００１１】
本発明は、この必要性に合致したものである。より具体的には、少なくとも１つの実施形態では、提案する技術は、ガラス化可能な材料を溶融するための設備のためのバーナーに関し、このバーナーは、
燃焼ガス分配ネットワーク及び少なくとも１つのインジェクタを含むインジェクタブロックと、
前記インジェクタブロックに少なくとも部分的に重なっており、前記インジェクタと流体連通している少なくとも１つの注入孔を備えるガラス接触状態及び／又は火炎接触状態のプレートと
を含み、
前記バーナーは、プレートがインジェクタブロックに取外し可能に取り付けられていることを特徴とする。
【００１２】
本文では、「取外し可能」という用語は、互いに取り付けられた部品に損傷を与えることなく、可逆的に取り付けられていることを意味する。逆に、２つの部品を互いに溶接することは、不可逆的な取付けであると考えられる。「載置されている」及び「上」という用語は、プレートの配置を記述することを意図しており、プレートは、液体ガラスによる浸食から、並びに／又は炉内で起こる火炎及び／若しくは燃焼ヒュームによる酸化の現象からインジェクタブロックを保護するために、インジェクタブロックと少なくとも部分的に重なり合っている。プレートは、特定の実施形態に従って、インジェクタブロックの上部に載置されているが、１つ又は複数のインジェクタには載置されていないという意味で、インジェクタブロックに少なくとも部分的に重なっている。
【００１３】
本発明は、インジェクタブロックとプレートとが互いに取外し可能に取り付けられている２つの別個の部品である、バーナーを提供することからなる、新規かつ発明的な概念に基づく。
【００１４】
このため、バーナーのメンテナンス中に、故障した部品を交換するだけで、もう一方のピースを再利用することができる。一般に、最初に故障する部品は、プレートである。というのは、これが液体ガラスと直接接触し、その結果、そこから腐食を受けるからである。しかしながら、インジェクタブロックは、特に、燃焼ガス分配ネットワークの機械加工に与えられるケアに関して、プレートよりも製造するのが著しく複雑である。したがって、本発明によるバーナーのインジェクタブロックは、有意に延びた寿命を有する。インジェクタブロック及びプレートの製造もより容易になり、これらの２つの部品は、別々に、かつ潜在的にはこれらの部品のそれぞれの技術仕様に適した異なる方法によって製造される。換言すれば、本発明によるバーナーは、より良好な運転効率を有する。
【００１５】
特定の実施形態によれば、前記インジェクタブロック及び前記プレートは、異なる材料から構成されている。
【００１６】
既存の技術的偏見は、これらの部品を一緒に溶接するときに直面する困難性を考慮すると、異なる性質の材料で作られた部品の使用とは相反している。インジェクタブロックとプレートとの間に取外し可能な取付けを使用することにより、この技術的偏見を改善することが可能になり、すなわち、このシナリオにおいて、もはや材料の不適合性の問題は生じない。これによれば、これらの部品のそれぞれに特有の必要性及び動作条件に適した異なる材料を使用することが可能である。これによれば、プレートは一般に、比較的単純な幾何学的形状を有するが、それにもかかわらず、上述したように、極端な動作条件にさらされる。インジェクタブロックは、低温領域のままである。しかしながら、その製造は、ガス分配ネットワーク及びインジェクタの寸法に関して高度な正確さを必要とする。また、材料の選択は、これらのピースの各々について熱応力下で期待される挙動に基づくことができる。
【００１７】
例えば、金属合金又はセラミックスを用いることが可能となる。
【００１８】
特定の実施形態によれば、前記バーナーは、液中タイプのものである。
【００１９】
液中バーナーは特に、液体ガラスによる浸食及び火炎による酸化に関連する劣化にさらされる。したがって、本発明の有利な特徴は、これらのバーナーにより重要な影響を及ぼす。それによれば、そのメンテナンスはより複雑でなく、より経済的になり、一方、そのインジェクタブロックの寿命はかなり増加する。
【００２０】
特定の実施形態によれば、前記少なくとも１つのインジェクタは、前記注入孔内に少なくとも部分的に延在している。
【００２１】
バーナーによって炉内に注入されるガスの正しい分布は、主要な問題である。公知の方法においては、この基準を満たすか否かは、特に溶融チャンバに入る前に燃焼ガスが流れる１つ又は複数のダクトの形状及び寸法に依存する。この問題に関して、常識では、バーナーの単一部品の特徴のままであることが指示されている。実際に、プレートとインジェクタブロックとを分離することは、バーナーのこれら２つの別個の部品が、熱の影響下で互いに対して動くことが見られる危険性を増大させる。したがって、炉の運転中に、等しい膨張係数では、ガラス接触状態及び／又は火炎接触状態のプレートは、低温領域に位置するインジェクタブロックよりも膨張する傾向がある。これら２つの構成要素のこのような相対的な動きは、特に、噴射ダクトの形状を変化させる可能性があり、かつ炉内に噴射される燃焼ガスの正しい分布にマイナスの影響を与える可能性がある。
【００２２】
この既存の技術的な先入観にもかかわらず、インジェクタが注入孔内に少なくとも部分的に延在している本発明によるバーナーを使用することにより、インジェクタ及び／又は注入孔を製造する際に、より大きな許容範囲を採用することを可能にしながら、インジェクタとプレートの注入孔との満足のいく位置合わせを得ること及び保持することが可能になる。すなわち、炉内の燃焼ガスの噴射制御がより容易になる。
【００２３】
特定の実施形態によれば、前記プレートは、
犠牲ねじ−ボルトアセンブリ、及び／又は
ねじタップ−アセンブリ、及び／又は
リベット、及び／又は
ピン
によって、インジェクタブロックに取り付けられている。
【００２４】
これによれば、取外し可能な取付けのための手段は、任意選択で犠牲タイプとすることができる。
【００２５】
特定の実施形態によれば、前記プレートは、１つ又は複数のインジェクタの周囲を画定している少なくとも１つの平面シートを含む。
【００２６】
本明細書において、シートを説明する用語「平面」は、肉眼で見える巨視的スケールで解釈されるべきであり、表面状態、すなわち特定のテクスチャリングに限定されない。
【００２７】
このシートの目的は、燃焼ガスの正しい分布を可能にしながらインジェクタブロックを保護することである。このようなシートは、火炎のすぐ近くに配置されているので、酸化の重大な危険にさらされる。
【００２８】
したがって、この特定の特徴によるバーナーは、プレートの残りの部分とは無関係にシートを交換する可能性を提供し、それによって、プレートの全体的な寿命を延ばす一方で、メンテナンスコストを制限する。別個に考慮されるこのシートはまた、機械加工がより単純であり、その設計時に、耐酸化性、熱容量、熱膨張係数、及び質量コスト等の基準に関して、その使用に特に適した材料を選択する可能性を提供する。
【００２９】
特定の実施形態によれば、前記少なくとも１つのインジェクタは、シートの上方に突出部を形成する。
【００３０】
このような突出部を使用することにより、混合物に含まれるパラメータ及び燃焼ガスの分布を最適に制御することができる。実際、炉内のガスの分布、注入、燃焼に関係する全ての部品は、インジェクタブロックの不可欠な部分である。したがって、これらのガスの燃焼によって生成される火炎は、より効果的に制御される。
【００３１】
液体ガラスとの接触による突出部の脆弱性に関する既存の技術的な先入観にもかかわらず、突出部は、プレートの表面上に生じ得る浸食／酸化による劣化から保護されたままであることが驚くべきことに観察された。このように、インジェクタ及びその突出部は、設備が作動しているときでさえ、第１に、燃焼ガスが炉内に低温で注入されるときに燃焼ガスによって提供される冷却のために、第２に、液体ガラス及び／又は燃焼から生じるガスへの火炎基部の弱い曝露のために、低温ゾーンのままである。
【００３２】
特定の実施形態によれば、前記プレートは、前記シートから立ち上がる中実の周辺側部を含む。
【００３３】
これらの周辺側部は、ガラス流中の火炎が押し戻され、吹き飛ばされるのを防ぐことによって、火炎の安定性を確実にすることを可能にする。
【００３４】
したがって、これらの周辺側部は、シートよりも液体ガラス及び／又はガスの腐食にさらされるが、火炎による酸化の危険にさらされることはより少ない。
【００３５】
したがって、この特定の特徴によるバーナーは、プレートの他の部分とは独立して周辺側部を交換する可能性を提供し、それによれば、プレートの全体的な寿命を延ばしながら保守コストを制限する。また、別個に考慮される周辺側部は、機械加工がより単純であり、設計時に、耐腐食性及び／又は耐酸化性、熱容量、熱膨張係数、及び質量費用等の基準に関して、その使用に特に適した材料を選択する可能性を提供する。
【００３６】
特定の実施形態によれば、周辺側部は、インジェクタブロックの上面に取外し可能に取り付けられており、前記シートは、周辺側部とインジェクタブロックの上面との間に取り付けられている。
【００３７】
プレートの周辺側部及びインジェクタブロックの上面へのシートの取付け手段は、このシートの分解及びメンテナンスを容易にすることを可能にする。
【００３８】
特定の実施形態によれば、前記プレート、優先的には前記シートは、その上面から突出している歯を含む。
【００３９】
これらの歯は特に、インジェクタに、したがって、火炎に直接近接して、バーナーの表面に形成されるガラス固化層を安定化させることを可能にする。
【００４０】
特定の実施形態によれば、前記バーナーは、インジェクタブロックとプレートとの間の界面に熱ペースト層を含む。
【００４１】
この熱ペーストは、例えば、シリコーン、セラミック及び／又は金属粒子をベースしていてよい。
【００４２】
これによれば、特にインジェクタブロックを用いてプレートを冷却する目的で、これら２つの部品間の熱移動を増大させることができる。
【００４３】
特定の実施形態によれば、各インジェクタは、噴出孔、燃料の供給管、及び酸化剤の供給管を有する、シリンダの形状の混合チャンバを含み、燃料の供給管及び酸化剤の供給管が、シリンダのケーシングに対して接線方向に燃料及び酸化剤を流動させる方向で、シリンダのケーシングにおいて混合チャンバへと開口している。
【００４４】
ガス（燃料／酸化剤）を混合チャンバ内に噴射する方向は、非常に重要である。実際に、混合チャンバ内部の高度の乱流及び火炎の不安定性をもたらし得る半径方向の噴射を避けることが好ましいであろうことが注目されている。この理由のために、燃料及び酸化剤の噴射は、接線方向に行われなければならず、ガス混合物の接線方向の流れは規則的な渦を作り出す。
【００４５】
特定の実施形態によれば、前記インジェクタブロックは、冷却システム、優先的には冷却流体の循環に適したパイプのネットワークを前記バーナー内部に含む冷却システムを含む。
【００４６】
本発明はまた、上述したようなバーナーの組立／分解方法に関する。
【００４７】
本発明は更に、ガラス化可能な材料の組成物を溶融するための設備に関し、それは、上記のような少なくとも１つのバーナー、優先的には液中タイプのバーナーが供給される少なくとも１つの溶融チャンバを含むことを特徴とする。
【００４８】
本文に記載されているような、本発明によるバーナーによって提供される技術的利点は、このようなバーナーを組み込んだ、ガラス化可能な材料を溶融するための設備にも関する。このようなバーナーを使用することにより、設備の生産性を向上させることが可能となり、バーナーを交換するための炉停止の発生が有意に低減される。
【００４９】
本発明はまた、ガラス化可能な材料の組成物を溶融するための、上記のような設備の使用に関する。
【００５０】
本発明の他の特徴及び利点は、図面を参照して以下に記載される：
【図面の簡単な説明】
【００５１】
【図１】図１は、本発明の特定の実施形態による液中タイプのバーナーの概略断面図である；
【図２】図２は、図１に示すようなバーナーの分解概略図である；
【図３】図３は、本発明の特定の実施形態による、環状インジェクタを備える液中タイプのバーナーの斜視図である；
【図４】図４は、本発明の特定の実施形態によるガラス化可能な材料を溶融するための設備を表す図である。
【発明を実施するための形態】
【００５２】
種々の図において同一である参照番号は、類似又は同一の要素を表す。
【００５３】
本発明は、ガラス化可能な材料を溶融するための設備２０のためのバーナー１に関する。このバーナー１は、燃焼ガス分配ネットワーク３及び少なくとも１つのインジェクタ４を含むインジェクタブロック２を含む。このようなバーナー１は、インジェクタブロック２と重なっており、インジェクタ４と流体連通している少なくとも１つの注入孔６を備えた、ガラス接触状態及び／又は火炎接触状態のプレート５を更に含む。特に、プレート５は、インジェクタブロック２に取外し可能に取り付けられている。
【００５４】
本発明によるバーナー１のインジェクタブロック２は、著しく増加した寿命を有する。更に、インジェクタブロック２及びプレート５の製造がより容易になり、これらの２つの部品は、別々かつ潜在的に、異なる材料から、及び／又は異なる方法を使用して製造される。
【００５５】
図１は、本発明の特定の実施形態による、液中タイプのバーナー１の断面を概略的に示す。代替的な実施形態によれば、バーナー１は、液面上タイプであってもよい。しかしながら、液中タイプのバーナー１は特に、液体ガラスによる浸食及び火炎による酸化の現象に長時間曝されることにより、本発明によって提供される技術的利点から利益を得ることに注意すべきである。
【００５６】
このバーナー１は、下部にインジェクタブロック２、上部にプレート５を含み、これらはインジェクタブロック２と重なっている。
【００５７】
インジェクタブロック２に関して、図１の切断面は、プレート５の注入孔６と同軸の噴出孔１１で開口している、円筒状の混合チャンバ１０を含むインジェクタ４を通っている。混合チャンバ１０への開口は、切断面内に位置する酸化剤供給管１３、及び切断面外に位置する燃料供給管１２である。燃料及び酸化剤の供給パイプ１２及び１３は、混合チャンバを、それぞれインジェクタブロック２の下部に位置する燃料入口パイプ１２１及び酸化剤入口パイプ１３１に接続する。パイプ９は、バーナー１の内部に冷却液を循環させ、そのほぼ全長にわたって通過させることを可能にする。
【００５８】
インジェクタブロック２は、ステンレス鋼で構成されている。代替的な実施形態によれば、インジェクタブロック２は、この工業用途に適した別の公知の材料から構成されている。
【００５９】
図１及び図２に示すように、また以下に説明する実施形態によれば、プレート５は、注入孔６の近傍に配置されるように意図された水平シート７と、シート７の端部から階段又は段差のように広がっている中実の横側部８とのアセンブリから構成される。このシート７は、その上面から突出している歯１４を更に含む。これらの歯１４は主に、インジェクタ１１に、したがって生成された火炎に直接近接して、バーナーの表面に形成されたガラス固化層を安定化させるために使用される。
【００６０】
代替的な実施形態によれば、プレート５は、単一部品からなることに留意されたい。その結果、製造／メンテナンスがより複雑になるという欠点がある。
【００６１】
インジェクタブロック２に戻ると、インジェクタブロック２は、シート７から注入孔６を通って突出するのに適した複数の突起を含む。このような突出部を使用することにより、プレート５の注入孔６とそれぞれのインジェクタ４との良好な位置合わせを維持することができ、燃焼ガスの混合及び分配に含まれるパラメータを最適に制御することができる。したがって、これらのガスの燃焼から生じる火炎は、より効果的に制御される。
【００６２】
本文及び図で既に示されているように、プレート５は、インジェクタブロック２に取外し可能に取り付けることができる。この取付けは、ねじ１５及び対応するタップのアセンブリによって提供される。シート７は、インジェクタブロック２の上面と中実の横側部８の下部との間の取付け手段によって取り付けられている。代替的な実施形態によれば、このシート７は、取外し可能な取付けのための任意の種類の公知の手段によってインジェクタブロック２に直接的に取り付けられている。更に、シート７は、取外し可能であろうとなかろうと、任意の公知の取付けタイプによって、横側部８に直接取り付けることもできる。
【００６３】
他の代替的な実施形態によれば、横側部８は、取外し可能な取付けのためのねじ−ボルト型アセンブリ又は任意の他の公知の手段によって、取外し時に取付けのための手段の破壊を伴うか否かにかかわらず、取外し可能にインジェクタブロック２に取り付けることができる。取付けのために選択された手段にかかわらず、インジェクタブロック４及びプレート５の完全性は、組立／分解後に維持されることに留意されたい。
【００６４】
代替的な実施形態によれば、図３に示すように、バーナーは、溶融チャンバ２１の壁２１ａから突出している環状のインジェクタ４を備えている。インジェクタ４が通過する壁２１ａは代替的に、溶融チャンバの底部又はその側壁のうちの１つである。インジェクタ４は円筒状を有し、同じく円筒状であるプレート５によって重なり合い、これに２本のねじ１５の手段によって取外し可能に取り付けられている。この構成によれば、プレート５の注入孔６は、インジェクタ４の注入孔１１の続きとして位置決めされる。
【００６５】
特定の実施形態によれば、本願明細書に記載されているようなバーナー１の組立／分解方法に関し、組立方法は、以下の工程を含む：
シート７をインジェクタブロック２の上面に取り付けること、
シート７の周径上に横側部８を取り付けること、
対応するタップに係合するねじ１５によって横側部８をインジェクタブロック２に可逆的に堅固に連結すること。
【００６６】
解体方法は、これらの連続した工程を逆の順序で行うことからなる。
【００６７】
特定の実施形態によれば、図４に示すように、本発明は、溶融チャンバ２１を含むガラス化可能な材料を溶融するための設備２０に関する。ガラス化可能な材料は、充填器２２によって溶融チャンバ１内に挿入される。溶融チャンバ２１は底部に、上述したような液中バーナー１を含む。ガラス浴２３の高さは、得られた液体ガラスが流れる溢流位置２４によって決定される。溶融チャンバ２１は、冷却液が循環する内部パイプ９のシステムによって横断されている金属壁を含む。壁を能動冷却すると、金属壁をガラス浴から隔離する凝固ガラス層２５が形成される。
【００６８】
特定の実施形態によれば、本発明は、ガラス化可能な材料の組成物を溶融するための、特にバイアルタイプのボトルの中空ガラス、断熱又は遮音ミネラルウールタイプのガラス繊維、又はいわゆる強化織物ガラス糸を形成するための、このような設備の使用に関する。
【図１】
2021504274.tif 000003
【図２】
2021504274.tif 000004
【図３】
2021504274.tif 000005
【図４】
2021504274.tif 000006
【国際調査報告】
2021504274.tif 000007
2021504274.tif 000008
2021504274.tif 000009
2021504274.tif 000010
2021504274.tif 000011
2021504274.tif 000012